(57)【要約】【課題】  運動時の体位の変化に連動した顎位を保て、かつ中心咬合位・中心咬合位を少しずれた位置で強く噛みしめられる、適合性の良い、熱湯軟化式歯列適合マウスピース。【解決手段】  内側部分は６５℃〜９５℃位の熱湯で軟化される樹脂で構成し、外側部分は、６５℃〜９５℃位の熱湯で軟化されない２種類の樹脂で構成する熱湯軟化式歯列適合マウスピース。【選択図】  図４
2005118513.tif 000002
【特許請求の範囲】
【請求項１】
歯牙及び歯肉に接する内側部分は６５℃〜９５℃位の熱湯で軟化される樹脂で構成し、対合歯・舌・頬に接する外側部分は、６５℃〜９５℃位の熱湯で軟化されない樹脂で構成されることを特徴とする熱湯軟化式歯列適合マウスピース。
【請求項２】
さらに、装着時に口呼吸を妨げないため、上顎前歯切縁部分に通気孔を設けた、請求項１記載のマウスピース。
【発明の詳細な説明】
【技術分野】
【０００１】  本発明は、運動時に使用するマウスピースに関する。
【背景技術】
【０００２】  従来の熱湯軟化式歯列適合マウスピースでは、熱湯に浸して軟化させ口腔内に挿入し、噛みこんで、上顎歯列の形をマウスピース内面に印記して各個人に適合したマウスピースとする際、マウスピース全体が熱可塑性樹脂で構成されているため、下顎咬合面の圧痕がマウスピース下部にも印記されてしまい、一定の位置でしか噛むことの出来ないマウスピースに仕上がってしまうという欠点がある。これらのマウスピースは、工業生産品であり、熱湯に浸し軟化して各個入が自分で作成するものなので、中心咬合位で作られているかどうかも疑問である。中心咬合位とは、上下の歯が生理的に最も安定した状態で噛むことのできる顎のポジションである。この位置がズレてマウスピースが完成してしまうと、運動時に強く食いしばった時に、左右の咬筋が均等に収縮できない他、周辺諸筋や顎関節なとの器官に不合理を生じさせる。さらに、運動時に食いしばる位置であるが、重量上げ等、左右の筋肉を均等に緊張させる時を除いては、中心咬合位を少しずれた位置で食いしばっている可能性が大きい。もう一つ重大な欠点があり、運動時は、体位が常に変化し、それに同調して顎位も変化する（普通に噛んでいるポジションを中心に１ｍｍ程度前方と左右に変化する）ので下顎咬合面に深い圧痕を形成すると、この変化に対応できずに、顎位がロックされてしまい、頚部周辺諸筋に不合理が生じ、頚椎に無理な力がかかる恐れがある。
【非特許文献１】  近藤デンタルクリニック  噛み合わせとスポーツ  ２頁（患者向け院内誌）  発行人  近藤デンタルクリニック    近藤信也  発行日  平成１５年２月３日  東京都渋谷区広尾５−１４−２    ０３−５４４９−０８９３
【発明の開示】
【発明が解決しようとする課題】
【０００３】    そこで本発明は、上記のような従来の熱湯軟化式歯列適合マウスピースの問題点を解決し、完成時に下顎咬合面の圧痕がマウスピース下部に印記されない、従って運動時の体位の変化に連動した顎位を保て、かつ中心咬合位・中心咬合位を少しずれた位置で強く噛みしめられる、適合性の良い、熱湯軟化式歯列適合マウスピースの提供を目的としている。
【課題を解決するための手段】
【０００４】  本発明者は、上記目的を達成するために研究を行った結果、熱湯軟化式歯列適合マウスピースを内側と外側の２層構造とし、外側は熱湯で軟化しないゴ厶質の樹脂、内側は熱湯で軟化するゴム質の樹脂を用いることで、完成時に外側部分に下顎咬合面の圧痕の付かない、且つ制作時に、外側部分が歯科医院で歯形を取る時に使用するトレーの役目をし、内側部分がそのなかで軟化されて、印象剤の役目をすることから、適合性の良い仕上がりになることを見い出し、本発明に至った。
【発明の効果】
【０００５】  人間の下顎の位置（顎位）は、運動時の体位の変化に連動して変化する（たとえば、頭を下向きにすると下顎が前方に偏位し、頭を上向きにすると下顎が後方に偏位し、頭を傾斜させると傾斜側に下顎が偏位し、頭を捻転させると反捻転側に下顎が偏位する）ので、下顎咬合面の深い圧痕がマウスピース下部に印記されてしまうと、この変化に対応できない為、不合理を生じさせていたが、完成したマウスピース下部がフラットな為、運動時の体位の変化に連動した顎位を保てるため、頚部周辺諸筋に不合理が生じないので、スポーツ時に頚椎を痛める事故を防止できる。【０００６】  さらに、完成時には、従来の熱湯軟化式歯列適合マウスピースと違い、外側部分下部と下顎歯列の咬合面とが平行かつフラットな面となるので、中心咬合位・中心咬合位を少しずらした位置でも強く噛込めるため、歯牙・歯根・顎関節を保護することは言うまでもなく、生理的に強く噛みしめられる位置が増えるのでスポーツ能力の向上にもつながる。【０００７】  すなわち、本発明は、内側部分（歯牙及び歯肉に接する部分）は熱湯で軟化される樹脂で横成し、外側部分（対合歯・舌・頬に接する部分）は、熱湯で軟化されない樹脂で構成されることを特徴とする熱湯軟化式歯列適合マウスピース（第一発明）：並びに熱湯で軟化されない外側部分の下顎前歯が対合する部分に通気孔を設けた熱湯軟化式歯列適合マウスピース（第二発明）  。
【発明を実施するための最良の形態】
【０００８】  発明の実施の形態を実施例にもとづき図面を参照して説明する。
図１において、熱湯で軟化されない樹脂で構成される外側部分は、成型完了時にゴ厶質を呈しているものであり、沸騰した湯もしくはポットの湯を容器に注いだ状態の湯温（約６５℃〜約９５℃）で軟化及び大きく変形しない状態である。材質は、シリコン樹脂・酢酸ビニル系樹脂・軟性アクリル樹脂・ゴム等があり、本発明においては、シリコン樹脂（熱加硫型・ＲＴＶ型）または、軟性アクリル樹脂が好ましい。【０００９】  外側部分の成型方法は、金型を制作して周知の方法で成型するが、外側部分内面に相当する金型表面をあらかじめ、サンドブラスター等を用いて、粗な面に仕上げておけば、成型完了時に外側部分内面も粗な面となるので、接着力を向上することができ、且つ接着剤の塗付が不十分であった場合でも、内側部分との機械的結合力が期待できる。【０００１０】  さらに、図６・図７において、上下の歯列の噛み合わせは、矢状方向（前歯と臼歯を結ぶ線の方向）に緩やかな湾曲を持つため、マウスピース外側部分の底面（下顎咬合面の接する部分）に緩やかな湾曲を付与することで、外側部分下部と下顎歯列咬合面との接触をより自然にすることができ、フラットな面よりできているので、体位の変化に対する下顎の動きを阻害しない。【００１１】  図２において、熱湯で軟化される樹脂で構成される内側部分は、沸騰した湯もしくはポットの湯を容器に注いだ状態の湯温（約６５℃〜約９５℃）で容易に軟化でき、軟化後に上顎歯列に被せ、軽く噛むか手指で圧迫することで、上顎歯列の形を印記することで上顎歯列に適合し、その後常温で硬化しゴム質を維持するものである。【００１２】  図３において、内側部分と外側部分の接着方法は、変性シリコン接着剤・シリコン接着剤・シリコンプライマー・ゴム質接着剤等の接着剤があるが、本発明においては変性シリコン接着剤が好ましい。【００１３】  図１、図２、図３、図４、図５において、内側部分と外側部分の接着方法並びに内側部分の制作方法は、完成した外側部分の内面に接着剤を塗り、溶解した内側部分の樹脂をホットガンやヘラ等を用いて外側部分に充填して完了、または、完成した外側部分の内面に接着剤を塗り、外側部分内面に適合する内側部分を金型で成型して、圧着する等の方法がある。【００１４】  図８において、外側部分正中部（上顎切歯が接する部分）に帯状のマウスピース紛失防止ベルトをつけることで、アメリカンフットボール正式試合用とすることができる。マウスピース紛失防止ベルトをヘルメットに通し、先端の求を穴に差し込んで固定する。【００１５】  以下に実施例において本発明を具体的に説明するが、これらの実施例に限定されるものではない。
（１）熱湯に対する内側の軟化確認試験
湯熱で対合歯の圧痕がつかない熱湯軟化式マウスピースを制作し、９２℃の熱湯に５分間浸し、被験者の上顎歯列に３分間圧接し、取り出し水で常温になるまで冷却し、上顎歯列がマウスピース内面に印記され、外側部分に下顎咬合面の圧痕が付いていないことを目視及び指での接触で確認する。【００１６】  使用原料の会社名並びに商品名は、以下のとおりである。
外側部分、ＧＥ東芝シリコン（株）  ＴＳＥ２６０−７Ｕ
内側部分、東ソー（株）            ウルトラセン
接着部分、セメダイン（株）        ＳＵＰＥＲ  Ｘ
湯熱で対合歯の圧痕がつかない熱湯軟化式マウスピースの大きさ及び各部の重量
製品１
外側部分、縦５８ｍｍ×横６５ｍｍ×高さ２３ｍｍの中空の馬蹄形を呈し、咬合面の厚み０．５ｍｍ  矢状方向の湾曲０．６ｍｍ  重量９．８ｇ
内側部分、縦４７ｍｍ×横６０ｍｍ×高さ１９ｍｍの馬蹄形の実体  重量３．５ｇ
接着部分、０．１ｍｍ以下のほぼ均一な厚みの層【００１７】  結果  製品１  適合【００１８】  製品５０個を用いて、被験者２０人に実施したところ、全ての検体に上顎歯列がマウスピース内面に印記されることで、各被験者の上顎にフィットしており、外側部分下部に下顎咬合面の圧痕が付いていないことを目視及び指での接触で確認して適合とした。
【実施例】
【００１９】さらに実施例において本発明を具体的に説明するが、これらの実施例に限定されるものではない。
（１）上顎前歯切縁部分に設けた通気孔に潰れがないことの確認試験
湯熱で対合歯の圧痕がつかない熱湯軟化式マウスピースを制作し、９２℃の熱湯に５分間浸し、被験者の上顎歯列に３分間圧接し、取り出し水で常温になるまで冷却し、上顎前歯切縁部分に設けた通気孔の潰れがないことを目視及び指での接触で確認する。【００２０】  使用原料の会社名並びに商品名は、以下のとおりである。
外側部分、ＧＥ東芝シリコン（株）  ＴＳＥ２６０−７Ｕ
内側部分、東ソー（株）            ウルトラセン
接着部分、セメダイン（株）        ＳＵＰＥＲ  Ｘ
湯熱で対合歯の圧痕がつかない熱湯軟化式歯列適合マウスピースの大きさ及び各部の重量
製品２  図９
外側部分、縦５８ｍｍ×横６５ｍｍ×高さ２５ｍｍの中空の馬蹄形を呈し、咬合面の厚み０．５ｍｍ    矢状方向の湾曲０．６ｍｍ    重量９．７ｇ
内側部分、縦４７ｍｍ×横６０ｍｍ×高さ１９ｍｍの馬蹄形  重量３．５ｇ
接着部分、０．１ｍｍ以下のほぼ均一な厚みの層【００２１】  結果  製品２  適合【００２２】  製品２を２０個を用いて、それぞれを被験者２０人に実施したところ、全ての検体の上顎前歯切縁部分に設けた通気孔に潰れがないことを目視及び指での接触で確認したので適合とした。
【産業上の利用可能性】
【００２３】    ボクシング・ラグビー・アメリカンフットボール・筋肉トレーニングをはじめとする、瞬発力を発揮する時に強く噛みしめ、動作をするときに、体位が常に変化するスポーツにおいては、体位に連動した顎位の変化をサポートするよう下顎咬合面の圧痕を印記しないことが必要であり、また強く噛みしめる時には、中心咬合位で上下の歯牙が噛込める本マウスピースは、頚椎の保護と歯牙・歯根・顎関節の保護に大きな期待が寄せられる。また、工業製品として大量かつ安価に提供できることから、これらのスポーツ選手の健康維持に役立つことは、必須である。
【図面の簡単な説明】
【００２４】
【図１】図１は、マウスピース外側部分を示す。
【図２】図２は、マウスピース内側部分を示す。
【図３】図３は、接着前のマウスピース外側部分と内側部分を示す。
【図４】図４は、外側部分と内側部分を接着して完成したマウスピースを示す。
【図５】図５は、図４のマウスピースのＡ−Ａ線端面図を示す。
【図６】図６は、上下の歯列の噛み合わせの、矢状方向（前歯と奥歯を結ぶ線の方向）の緩やかな湾曲を示す。
【図７】図７は、マウスピース外側部分の矢状方向の緩やかな湾曲を示す。
【図８】図８は、帯を付けたアメリカンフットボール用マウスピースを示す。
【図９】図９（ａ）は、通気孔を設けた熱湯軟化式歯列適合マウスピース。（ｂ）はその裏側
【符号の説明】
【００２５】１  マウスピース外側部分
１Ａ  マウスピース紛失防止ベルト
１Ｂ  マウスピース紛失防止ベルトの穴
１Ｃ  マウスピース紛失防止ベルト先端の球
１Ｄ  マウスピース外側部分の通気孔
２  マウスピース内側部分
３  接着層
４  上顎前歯
５  上顎臼歯
６  下顎前歯
７  下顎臼歯
８  矢状方向の緩やかな湾曲
９  マウスピース外側部分の底面の緩やかな湾曲
【図１】
2005118513.tif 000003
【図２】
2005118513.tif 000004
【図３】
2005118513.tif 000005
【図４】
2005118513.tif 000006
【図５】
2005118513.tif 000007
【図６】
2005118513.tif 000008
【図７】
2005118513.tif 000009
【図８】
2005118513.tif 000010
【図９】
2005118513.tif 000011